(57)【要約】【課題】コケの大量かつ効率的な生産方法および当該生産方法に用いられる装置を提供する。【解決手段】本発明にかかるコケの生産方法は、コケの原糸体を破砕する破砕工程、および上記破砕工程によって得られた原糸体を多孔質基材の表面に塗布して培養する培養工程を含み、上記培養工程において当該多孔質基材の一部が養液に浸漬されており、かつ原糸体が塗布された多孔質基材の表面の少なくとも一部が気相に暴露されていることを特徴としている。【選択図】図１
2011036154.tif 000002
【特許請求の範囲】
【請求項１】
コケの原糸体を破砕する破砕工程、および
上記破砕工程によって得られた原糸体を多孔質基材の表面に塗布して培養する培養工程を含み、
上記培養工程において当該多孔質基材の一部が養液に浸漬されており、かつ原糸体が塗布された多孔質基材の表面の少なくとも一部が気相に暴露されていることを特徴とするコケの生産方法。
【請求項２】
上記培養工程は、無菌環境内で行われる請求項１に記載のコケの生産方法。
【請求項３】
多孔質基材、養液が投入される培養槽、およびコケの原糸体を破砕するための手段を備え、
当該多孔質基材は養液が投入される培養槽内に設置されることを特徴とするコケの生産装置。
【請求項４】
上記養液が投入される培養槽は閉鎖系である、請求項３に記載のコケの生産装置。
【請求項５】
上記多孔質基材および養液が投入される培養槽が、無菌室内に備えられていることを特徴とする請求項３に記載のコケの生産装置。
【発明の詳細な説明】
【技術分野】
【０００１】
本発明は、コケの大量かつ効率的な生産方法および当該生産方法に用いられる装置に関する。より具体的には、本発明はコケを大量かつ効率的に生産すべく、コケの原糸体（protonema：プロトネマ）から、効率よく茎葉体（gametophore:ガメトフォア）に分化させることができる手段を提供する。
【背景技術】
【０００２】
コケは、古くから園芸の対象や造園用の資材として用いられてきた。コケは、野生のコケを採取し、それを人為的に自然環境下で栽培されることによって生産されてきた。
【０００３】
近年、世界中で環境に対する意識が高まる中、コケは二酸化炭素固定化用植物や緑化植物として注目されるようになった。緑化植物として従来から利用されている草花や木々とは異なり、(i)コケは気候変動に強いこと、(ii)コケの生育のために土壌を必要としないこと、(iii)コケは軽量であること、および(iv)コケの生命を維持するための散水、施肥などのメンテナンスが殆ど不要であること等の理由のため、コケは緑化用資材として非常に好ましい植物であるからである。コケの緑化植物としての使用形態として、例えば建物の屋上、壁面、道路側壁、河川の護岸面等にコケをマット状に被覆および固定して施工されることが行われつつある。
【０００４】
上記のようにコケを緑化植物として利用するためには大量のコケが必要となる。しかし、コケの生育は非常に遅く、従来のような野生のコケを人為的に栽培して生産するという方法ではコケの供給が追いつかなくなることが予想された。そこでコケを大量に生産する方法の開発が着目され、これまでに種々の方法が提案された。
【０００５】
例えば特許文献１〜３には、コケ生産の基となるコケ稚苗を人工的に環境制御された培養槽の中で大量に培養する技術が開示されている。
【先行技術文献】
【特許文献】
【０００６】
【特許文献１】特開２００５−２５３４５６号公報（公開日：平成１７（２００５）年９月２２日）
【特許文献２】特開２００７−１１１０３１号公報（公開日：平成１９（２００７）年５月１０日）
【特許文献３】特開２００７−２０２４７１号公報（公開日：平成１９（２００７）年８月１６日）
【発明の概要】
【発明が解決しようとする課題】
【０００７】
上記特許文献１〜３に記載されているコケの生産方法は、草花の植物体に相当するコケの茎葉体を養液中で大量に効率よく成育させる方法である。本発明者らはさらに生産効率の良いコケの生産方法を開発すべく、茎葉体に分化する前の原糸体を大量に養液中で培養することに着目した。茎葉体に分化する前の糸状の原糸体であればもっと大量かつ効率的に培養することが可能であるからである。
【０００８】
しかし、原糸体から茎葉体へ人為的に効率よく分化させるための条件や方法については一切知られておらず、得られた原糸体から茎葉体へ分化は、ある程度偶然を期待するしかなかった。それゆえ、コケの原糸体を大量に生産することができたとしても最終の目的物であるコケの茎葉体を大量かつ効率的に得ることができなかった。
【０００９】
そこで、本発明はコケの原糸体から効率よく茎葉体に分化させることができる手段を見出し、コケの大量かつ効率的な生産方法を提供することを目的とした。さらに本発明は、コケの大量かつ効率的な生産方法に用いられる装置をも提供する。
【課題を解決するための手段】
【００１０】
本発明者らは上記課題を解決すべく鋭意検討を行った結果、超音波等で破砕した原糸体を多孔質基材上に塗布し培養したところ、効率よく茎葉体が得られることを見出した。本発明はかかる新規知見をもとに完成された。
【００１１】
すなわち本発明にかかるコケの生産方法は、上記課題を解決すべく、コケの原糸体を破砕する破砕工程、および上記破砕工程によって得られた原糸体を多孔質基材の表面に塗布して培養する培養工程を含み、上記培養工程において当該多孔質基材の一部が養液に浸漬されており、かつ原糸体が塗布された多孔質基材の表面の少なくとも一部が気相に暴露されていることを特徴としている。なお上記培養工程は、無菌環境内で行われる態様であってもよい。
【００１２】
一方、本発明にかかるコケの生産装置は、上記課題を解決すべく、多孔質基材、養液が投入される培養槽、およびコケの原糸体を破砕するための手段を備え、当該多孔質基材は養液が投入される培養槽内に設置されることを特徴としている。なお上記養液が投入される培養槽は閉鎖系であってもよく、また上記多孔質基材および養液が投入される培養槽が、無菌室内に備えられている態様であってもよい。
【００１３】
なお、なぜ破砕された原糸体を多孔質基材上で培養することによって効率的に茎葉体が得られるかについての詳細は明らかになっていないが、原糸体が破砕されることによる物理的刺激によって、茎葉体への分化が促進されたのではないかと発明者は考えている。
【発明の効果】
【００１４】
本発明によれば、これまで人為的に分化させることが困難であった原糸体から茎葉体を効率よく生産することが可能となった。それゆえ、本発明は緑化植物としての利用が拡大するであろうコケを大量かつ効率的に生産し得る手段を提供することができるという効果を奏する。
【図面の簡単な説明】
【００１５】
【図１】本発明にかかるコケの生産装置の一実施形態を示す模式図である。
【図２】（ａ）は板状のレンガ上に破砕原糸体を塗布した後、１ヶ月間培養を行った後の写真であり、（ｂ）は板状のレンガ上に破砕原糸体を塗布した後、３ヶ月間培養を行った後の写真であり、（ｃ）は素焼きのツボの外表面に破砕原糸体を塗布した後、１ヶ月間培養を行った後の写真であり、（ｄ）は素焼きのツボの外表面に破砕原糸体を塗布した後、３ヶ月間培養を行った写真である。
【図３】（ａ）は板状のレンガ上に非破砕原糸体を塗布した後、１ヶ月間培養を行った後の写真であり、（ｂ）は板状のレンガ上に非破砕原糸体を塗布した後、３ヶ月間培養を行った後の写真である。
【図４】板状のレンガ上に破砕原糸体を塗布した後、２ヶ月間培養を行った後の写真であり、養液中は原糸体のみが生育し、気相部は茎葉体が生育していることを示す。
【発明を実施するための形態】
【００１６】
本発明の一実施形態について説明すると以下の通りである。ただし、本発明はこれに限定されるものではなく、記述した範囲内で種々の変形を加えた態様で実施できるものである。
【００１７】
〔１．本発明にかかるコケの生産方法〕
本発明にかかるコケの生産方法（以下「本発明の生産方法」という）は、コケの原糸体を破砕する破砕工程、および上記破砕工程によって得られた原糸体を多孔質基材の表面に塗布して培養する培養工程を含み、上記培養工程において当該多孔質基材の一部が養液に浸漬されており、かつ原糸体が塗布された多孔質基材の表面の少なくとも一部が気相に暴露されていることを特徴としている。
【００１８】
コケは、胞子が発芽して細胞が糸状に一列に並んだ原糸体（protonema：プロトネマ）を形成する。その後、原糸体が細胞分裂を繰り返して成長し、クロロネマ細胞、カウロネマ細胞、カウロネマ側枝始原細胞、芽（bud）を順に経て、茎と葉との区別ができる茎葉体（gametophore:ガメトフォア）に分化（生長）する。原糸体から茎葉体への分化はある一定の条件が整って初めて起こる。また原糸体から茎葉体へ分化する割合は極めて低い（数％程度）。特に原糸体から茎葉体への分化が起こる条件についてはこれまで知られておらず、当該分化を人為的に起こさせることは極めて困難であった。本発明は原糸体から茎葉体への分化を効率よく起こさせる手段を開示するものである。
【００１９】
ここで本発明の生産方法で対象となるコケとしては特に限定されず、セン類であってもタイ類であってもよい。セン類としては、例えば、スナゴケ、ハイスナゴケ、エゾスナゴケ、シモフリゴケ、クロカワキゴケ、キスナゴケ、ヒメスナゴケ、ミヤマスナゴケ、ナガエノスナゴケ、チョウセンスナゴケ、マルバナスナゴケ等のシモフリゴケ属（Rhacomitrium Bird.）、トヤマシノブゴケ、ヒメシノブゴケ、オオシノブゴケ、コバノエゾシノブゴケ、エゾシノブゴケ、アオシノブゴケ、チャボシノブゴケ等のシノブゴケ属（Thuidium B.S.G）、コウヤノマンネングサ、フロウソウ等のコウヤノマンネングサ属（Climacium Web et Mohr）、カモジゴケ、シッポゴケ、オオシッポゴケ、チャシッポゴケ、チシマシッポゴケ、アオシッポゴケ、ナミシッポゴケ、ナガシッポゴケ、ヒメカモジゴケ、コカモジゴケ、タカネカモジゴケ、フジシッポゴケ、カギカモジゴケ、ナスシッポゴケ等のシッポゴケ属（Dicranum Hedw.）、ハイゴケ、オオベニハイゴケ、ヒメハイゴケ、チチブハイゴケ、フジハイゴケ、ハイヒバゴケ、イトハイゴケ、キノウエノコハイゴケ、キノウエノハイゴケ、ミヤマチリメンゴケ、ハイサワラゴケモドキ、タチヒラゴケモドキ、エゾハイゴケ等のハイゴケ属（Hypnum Hedw.）、ヒノキゴケ、ヒロハヒノキゴケ、ハリヒノキゴケ等のヒノキゴケ属（Rhizogonium Brid.）等を用いることができる。
【００２０】
またタイ類としては、例えばツクシウロコゴケ、ウロコゴケ、オオウロコゴケ、トサカゴケモドキ、マルバソコマメゴケ、アマノウロコゴケ等のウロコゴケ属（Heteroscyphus Schiffn.）、クラマゴケモドキ、カハルクラマゴケモドキ、トサクラマゴケモドキ、ヒメクラマゴケモドキ、ヤマトクラマゴケモドキ、ナガバクラマゴケモドキ、オオクラマゴケモドキ、ニスビキカヤゴケ、ケクラマゴケモドキ、ホソクラマゴケモドキ等のクラマゴケモドキ属（Porella.L）、ヤマトムチゴケ、ヨシナガムチゴケ、フォウリィムチゴケ、エゾムチゴケ、タマゴバムチゴケ、フタバムチゴケ、サケバムチゴケ、ヤマムチゴケ、ムチゴケ、コムチゴケ、マエバラムチゴケ等のムチゴケ属（Bazzania S.Gray ）等に属するコケ類を用いることができる。
【００２１】
特に、スナゴケ、ハイスナゴケ、エゾスナゴケなどのスナゴケ（Rhacomitrium Canescens）は、緑化植物として好適であるため本発明の生産方法の対象として好ましいといえる。上記のコケは、緑化植物として利用する際に、土壌も施肥も不要とすることができ、例えばビルの壁面に過剰な負担をかけず、非常に乾燥した状況で生存することができる。自然環境では生育速度がきわめて遅いが、本発明を適用すれば大量かつ効率的にこれらのコケも生産することができる。
【００２２】
コケの原糸体の取得方法は特に限定されるものではなく、例えば、蒔きゴケ法でコケを土壌や培地上に植えると、茎葉体から原糸体の成長生育が認められる。また、コケの胞子を土壌や培地上で培養すると発芽、伸長し、容易に原糸体が得られる。原糸体は、懸濁培養や寒天培養などで増殖し得る。なお、コケの胞子は、胞子嚢を発生しているコケにおいて胞子嚢が開く前に胞子嚢を多数採取し、それぞれの胞子嚢を人為的に切開し内部の胞子を取り出すことによって入手することができる。また無菌胞子が必要な場合には胞子嚢を次亜塩素酸等で滅菌し、クリーンベンチ内で胞子を取り出せばよい。すなわち当業者であればコケの原糸体の取得方法を容易に理解することができる。
【００２３】
なお、本発明の生産方法には、コケの胞子を取得する工程、コケの胞子を発芽させて原糸体を取得する工程などが含まれていてもよい。上記工程は、特に限定されるものではなく、従来公知の方法が適宜採用され得る。
【００２４】
〔粉砕工程〕
本発明の生産方法は、コケの原糸体を破砕する破砕工程を含んでいる。原糸体の破砕方法は原糸体を破砕することができる手段であれば特に限定されるものではなく、従来公知の破砕方法が適宜採用され得る。破砕方法としては、例えば超音波による破砕、乳鉢を用いた破砕、機械的な切断、これらを組み合わせた破砕方法等が採用され得る。破砕工程による原糸体の好ましい破砕の程度は、特に限定されるものではなく、本発明の目的が達成できる破砕の程度を検討の上、決定され得る。
【００２５】
〔培養工程〕
次に本発明の生産方法に含まれる培養工程について説明する。この培養工程は、上記破砕工程によって得られた原糸体を多孔質基材の表面に塗布して培養する培養工程である。また培養工程を実施するに当たり、上記多孔質基材の一部が養液に浸漬されており、かつ原糸体が塗布された多孔質基材の表面の少なくとも一部が気相に暴露されている。本発明における培養工程を、図１を用いてより具体的に説明する。図１は本発明にかかるコケの生産方法を実施するために用いられる装置（以下「コケ生産装置」という）の一実施形態の模式図（正面図）である。図１に示されるコケ生産装置は、多孔質基材１、培養槽２、およびコケの原糸体を破砕するための破砕手段３を備える。また培養槽２中には多孔質基材１が設置されており、多孔質基材１の少なくとも一部が気相６に暴露されるように養液４が培養槽２へ投入される。また図１に示されるコケ生産装置の培養槽２は無菌環境下で培養工程を行えるように閉鎖系となっている。
【００２６】
多孔質基材１における孔径については特に限定されるものはないが、孔がコケの茎葉体生育の足場となり得る程度であり、養液が毛細管現象によって吸い上げられ得る程度であり、コケの生育の観点から好ましい。多孔質基材の材料も特に限定されるものではなく、陶器製、樹脂製、金属製、等が採用され得る。多孔質基材としては、例えば素焼きの煉瓦、等が採用され得る。また多孔質基材の形状も特に限定されるものではなく、角柱状、円柱状、球状、ツボ状、等、あらゆる形状が採用され得る。
【００２７】
破砕手段３によって破砕されたコケの原糸体（原糸体破砕物５）は、多孔質基材１の気相に暴露している表面に塗布される。これによって、多孔質基材１はその一部が養液４に浸漬しており、原糸体破砕物５が塗布された多孔質基材１の少なくとも一部が気相６に暴露した状態となる。また本発明の生産方法では、原糸体破砕物５を多孔質基材１の表面に塗布した後、原糸体破砕物５が塗布された多孔質基材１の少なくとも一部が気相６に暴露した状態となるように当該多孔質基材１を培養槽２内に満たされた養液４に浸漬してもよい。なお、本発明の生産方法において、多孔質基材１はその全部が養液４に浸漬してはならず、原糸体破砕物５が塗布された多孔質基材１の少なくとも一部が気相６に暴露した状態となることが必要である。原糸体破砕物５が養液４中に浸漬されている場合は、茎葉体に分化することなく原糸体のまま存在することが本発明者らによって確かめられているからである（後述する実施例を参照のこと）。本発明の生産方法における気相６を構成する気体はコケが生育し得る気体であれば特に限定されるものではなく、空気、酸素、等を意味する。
【００２８】
多孔質基材１はその一部が養液４に浸漬しており、かつ原糸体破砕物５が塗布された多孔質基材１の少なくとも一部が気相６に暴露した状態で培養工程は実施される。培養工程における気相６および／または養液４の温度は一定となるように制御されている必要はなく、室温で行えばよい。ただし、より効率よく原糸体から茎葉体に分化させるべく、気相６および／または養液４の温度が定値となるように制御されていることが好ましい。気相６および／または養液４の温度は、０〜４０℃に制御されていることが好ましく、５〜３０℃に制御されることがさらに好ましい。上記好ましい温度範囲である場合、コケの生育がよくなり、茎葉体への分化の効率が上がることが期待できる。
【００２９】
本発明の生産方法において使用することができる養液は、コケが生育し得る液体であれば特に限定されるものではなく、コケが生育し得る液体として知られている養液を適宜選択し得る。本発明はこれに限定されるものではないが、養液としては例えば特許文献１〜３に記載されている養液を本発明に適用することができる。つまり市販の植物用肥料（例えばハイポネックス（登録商標）等）を含む溶液が養液として利用され得る。また植物用肥料の好ましい濃度としては、電気伝導度（ｍＳ／ｃｍ）で０〜１．０、好ましくは０〜０．２であることが好ましい。養液に上記好ましい濃度範囲で植物用肥料が含まれることによって、コケの生育が早くなる。また養液としては、ＭＳ培地（Murashige, T. and Skoog, F. (1962) Physiol. Plant. 15, 473-497.）、Ｗｈｉｔｅ培地、Ｂ５（Ｇａｍｂｏｒｇ）培地、Ｎｉｔｓｃｈ培地、Ｈｅｌｌｅｒ培地、Ｓｈｅｎｋ ＆ Ｈｉｌｄｅｂｒａｎｄｔ培地、Ｎｉｔｓｃｈ ＆ Ｎｉｔｓｃｈ培地、ＬＳ（ＲＭ−１９６５）培地、Ｋｏｈｌｅｎｂａｃｈ ＆ Ｓｃｈｍｉｄｔ培地、Ｋｎｏｐ培地、Ｋｎｕｄｓｏｎ Ｃ 培地、Ｈ ｙｐｏｎｅｘ培地、等が適用可能である。なお後述する実施例においては、Ｋｎｏｐ培地（参考文献：Knop, W. (1865) Quantitative Untersuchungen uber die Ernah Rungsprozesse der Pflanze.Die Landwirtschaftlichen Versuchs-Stationen. 7: 93-107.）を養液として用いた。
【００３０】
また、養液には植物ホルモンを含むことが好ましい。植物ホルモンとしてはエチレン、アブシジン酸、オーキシン（インドール酢酸）、サイトカイニン（ゼアチン）、ジベレリン（ジベレリン酸）等が挙げられるが、植物成長ホルモンが好ましく、中でもオーキシン、サイトカイニン、ジベレリンが好ましい。成長促進効果が大きいためジベレリンが最も好ましい。これらは単独で用いられてもよく混合および／または併用して用いられてもよい。植物成長ホルモン濃度は、濃いと生理障害を起こすため通常の園芸用に用いる濃度より千倍程度薄くした０．０１〜０．２ｐｐｍが好ましく、より好ましくは０．１ｐｐｍである。養液は、コケの生産１サイクル毎に交換してもよいが、養液を循環させて繰り返し使用することが好ましい。使用を重ねることで養液中に存する共生菌による影響で、コケの生育速度が早くなることが認められているからである。
【００３１】
図１に示されるコケ生産装置は、培養工程を無菌環境下で行うことができるように培養槽２に蓋（図示せず）がついており、培養槽２内部が外界から遮断された閉鎖系となっている。本発明にかかるコケの生産方法は開放系で実施されてもよいが、無菌系で行う方が雑菌の繁殖による悪影響を回避することができるためにより好ましいといえる。また養液４が蒸発して培養槽２外へ出ることを防止することができるために養液４の節約にもつながる。無菌環境で培養工程を行う場合は、破砕原糸体５以外の多孔質基材１、培養槽２（少なくともその内部）、養液４、を滅菌処理（オートクレーブ滅菌処理、エチレンオキシド滅菌処理、等）しておく必要がある。この時、図１に示されるコケの生産装置は、空気等のガスがフィルタなどを介して無菌的に流出入可能となっていることが好ましい。また、図１に示されるコケ生産装置は培養槽２が閉鎖系となっているが、本発明は培養槽２が閉鎖系空間である無菌室内に設置されていてもよい。
【００３２】
上記のように培養工程を行うことによって、多孔質基材１に塗布されたコケの原糸体が茎葉体に分化する。培養工程の実施時間については、特に限定されるものではなく茎葉体が出現するまで培養工程を継続すればよい。
【００３３】
〔２．本発明にかかるコケの生産装置〕
本発明にかかるコケの生産装置（以下「本発明の生産装置」という）は、多孔質基材、養液が投入される培養槽、およびコケの原糸体を破砕するための手段を備えることを特徴としている。本発明の生産装置は上述した本発明の生産方法の実施に好適である。本発明の生産装置の一実施形態を、図１に記載のコケ生産装置を用いて説明する。なお、「１．本発明にかかるコケの生産方法」の説明において既に説明した部材については説明を省略する。
【００３４】
図１においては多孔質基材１が１個設置されている態様について記載されているが、複数個設置されている態様であってもよい。
【００３５】
図１に記載のコケ生産装置の破砕手段３としては、本発明の生産方法における破砕工程を実施し得る手段であれば特に限定されるものではなく、市販されている超音波破砕機、各種ミル、乳鉢および乳棒、等が採用され得る。また図１において破砕手段３は、培養槽２の外部に設置されているが、培養槽２内に設置されていてもよい。
【００３６】
また図１に記載のコケ生産装置は、養液４および／または気相６の温度を制御するための手段（温度制御手段）が備えられていてもよい。温度制御手段としてはサーモスタット付きのヒーターおよびクーラー等、従来公知の手段が採用され得る。また培養槽２が無菌室に設置されている態様にあっては、無菌室がエアーコンディショナーで温度制御されていてもよい。
【００３７】
また図１に記載のコケ生産装置は、培養槽２内のガスを流出入させるためのエアポンプ、エアバルブ、圧力制御装置、無菌状態でガスの流出入させるためのエアフィルタなどが備えられていてもよい。
【００３８】
また図１に記載のコケ生産装置は、光源が備えられていてもよい。光源としては蛍光灯ランプ、白熱灯、ＬＥＤランプ等あらゆる光源が採用され得る。
【００３９】
以下実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。
【００４０】
また、本明細書中に記載された学術文献および特許文献の全てが、本明細書中において参考として援用される。
【実施例】
【００４１】
〔実施例１〕
（方法）エゾスナゴケの胞子を、Ｋｎｏｐ培地（参考文献：Knop, W. (1865) Quantitative Untersuchungen uber die Ernah Rungsprozesse der Pflanze.Die Landwirtschaftlichen Versuchs-Stationen. 7: 93-107.）を用い、２５℃で1ヶ月間、液体培養することによって原糸体を取得した。
【００４２】
上記で得られたエゾスナゴケの原糸体を超音波破砕機（ＢＲＡＮＳＯＮ社製、ＳＯＮＩＦＩＥＲ  250）に供し、室温で約３０秒間破砕した。超音波破砕機の運転条件はOUTPUT2 DUTYCYCLE50とした。
【００４３】
原糸体の破砕物（約１ｍｇ）を板状レンガ（多孔質体）の表面に塗布した。次にこの板状レンガを、養液（Ｋｎｏｐ培地）入りの培養容器に浸した。この時、原糸体が塗布された面が養液の液面より上になるように（つまり気相に暴露されるように）した。
【００４４】
この培養容器を無菌室内に入れ、２５℃で培養を行った。培養期間中は蛍光灯の光をコケの原糸体に照射した。
【００４５】
（結果）図２（ａ）に培養１ヵ月後の板状レンガの写真を示し、図２（ｂ）に培養３ヵ月後の板状レンガの写真を示した。培養３ヶ月で原糸体から茎葉体に分化したエゾスナゴケが繁茂している状態が確認された。
【００４６】
培養２ヵ月後の板状レンガの写真を図４に示す。気相に暴露されている箇所ではエゾスナゴケの茎葉体が繁茂し、養液中では原糸体のまま増殖することが図４から確認された。つまり、原糸体から茎葉体に分化するためには、粉砕された原糸体が気相に暴露されている必要があることが分かった。
【００４７】
〔実施例２〕
（方法）板状レンガの代わりに素焼きのツボ（多孔質体）を用いた以外は実施例１と同様に実験を行った。
【００４８】
（結果）図２（ｃ）に培養１ヵ月後のツボの写真を示し、図２（ｄ）に培養３ヵ月後のツボの写真を示した。実施例１と同様に、培養３ヶ月で原糸体から茎葉体に分化したエゾスナゴケが繁茂している状態が確認された。つまり多孔質基材の種類や形状によらず粉砕された原糸体を多孔質基材の表面に塗布して培養することによって、原糸体から茎葉体に分化させることができるということが分かった。
【００４９】
〔比較例１〕
（方法）未粉砕のエゾスナゴケの原糸体を用いた以外は実施例１と同様にした。
【００５０】
（結果）図３（ａ）に培養１ヵ月後の板状レンガの写真を示し、図３（ｂ）に培養３ヵ月後の板状レンガの写真を示した。培養開始から３ヶ月経過しても茎葉体が見られず、ほぼ壊滅状態となった。
【産業上の利用可能性】
【００５１】
本発明によれば、コケを大量かつ効率的に生産し得る手段を提供することができる。コケは園芸用、造園用のみならず、二酸化炭素固定化用植物や緑化植物としての利用が大いに期待されている。それゆえ、本発明は、園芸や造園の分野のみならず、環境に関する分野においても利用される。
【符号の説明】
【００５２】
１  多孔質基材
２  培養槽
３  破砕手段
４  養液
５  破砕原糸体
６  気相
【図１】
2011036154.tif 000003
【図２】
2011036154.tif 000004
【図３】
2011036154.tif 000005
【図４】
2011036154.tif 000006